(57)【要約】【課題】通常のノズル巻線機又はフライヤ巻線機でコアバック部分に巻線することができる電動機のインシュレータを得ること。【解決手段】電動機の固定子コアの継鉄部に配置され内周面１５が前記電動機の回転中心を曲率中心とする円弧状に形成された外フランジ１１と、前記固定子コアの磁極片部に配置される内フランジ１２と、前記外フランジ１１と内フランジ１２とを繋ぎ前記固定子コアの鉄心部に配置される胴部１３と、を有するインシュレータ９０において、前記胴部１３の上面の前記外フランジ１１寄りに、前記鉄心部に巻く巻線２０を位置決めする１条の巻溝１６が設けられている。【選択図】図４
2012151932.tif 000002
【特許請求の範囲】
【請求項１】
電動機の固定子コアの継鉄部に配置され内周面が前記電動機の回転中心を曲率中心とする円弧状に形成された外フランジと、前記固定子コアの磁極片部に配置される内フランジと、前記外フランジと内フランジとを繋ぎ前記固定子コアの鉄心部に配置される胴部と、を有するインシュレータにおいて、
前記胴部の上面の前記外フランジ寄りに、前記鉄心部に巻く巻線を位置決めする１条の巻溝が設けられていることを特徴とするインシュレータ。
【請求項２】
前記巻溝は、前記外フランジの内周面の両端部を結ぶ線よりも前記内フランジ寄りに形成されていることを特徴とする請求項１に記載のインシュレータ。
【請求項３】
前記巻溝の側壁と前記胴部の上面が交差する角部は、湾曲傾斜面となっていることを特徴とする請求項１又は２に記載のインシュレータ。
【請求項４】
前記巻溝には、前記巻線の１ターン目が巻装されることを特徴とする請求項１〜３のいずれか１つに記載のインシュレータ。
【請求項５】
前記固定子コアは分割コアであり、該分割コアに装着されることを特徴とする請求項１〜４のいずれか１つに記載のインシュレータ。
【発明の詳細な説明】
【技術分野】
【０００１】
本発明は、電動機の固定子鉄心に装着されて固定子鉄心と巻線との間を絶縁するインシュレータに関する。
【背景技術】
【０００２】
従来、組み合わされると環状の継鉄の一部を構成する継鉄部、一端が前記継鉄部に連結された鉄心部及び前記鉄心部の他端に連結された磁極片部を有し、前記継鉄部の前記鉄心部の側面とつながる内面が湾曲している分割コアを支持する分割コア支持台を有する分割コア支持装置と、巻線導体を供給するノズルを備えて前記分割コアに対して前記巻線導体を供給する巻線導体供給装置とを用いて、前記分割コア支持台と前記ノズルとの間に相対的な運動を行わせて前記鉄心部に前記巻線導体を巻装する分割コアの巻線方法であって、前記鉄心部の前記側面に対して前記巻線導体を巻き付ける際に、前記ノズルが前記分割コアと干渉しないように前記継鉄部、前記鉄心部及び前記磁極片部の中心を通る中心面に対する前記ノズルの角度を定めて、前記継鉄部と前記磁極片との間に形成される空間を埋めるように前記鉄心部に前記巻線導体を巻装して巻線部を形成し、前記ノズルが前記分割コアの外周を相対的に１回転する間に前記ノズルの前記角度を変える必要がない場合には、前記分割コア支持台を動かして相対的な回転を得て、前記ノズルが前記分割コアの外周を相対的に１回転する間に前記ノズルの前記角度を変える必要がある場合には、前記ノズル及び前記分割支持台の両方を動かして相対的な回転を得る分割コアの巻線方法が開示されている（例えば、特許文献１参照）。
【先行技術文献】
【特許文献】
【０００３】
【特許文献１】特許第３４３２３７０号公報
【発明の概要】
【発明が解決しようとする課題】
【０００４】
しかしながら、上記従来の技術によれば、分割コアの、内面が湾曲している継鉄部に近い鉄心部（コアバック部分）に巻線導体を巻くために、巻線導体を供給するノズルが分割コアと干渉しないように、分割コアに対してノズルを傾斜させることのできる複雑な構造の高価な巻線機を用いなければならない、という問題がある。
【０００５】
本発明は、上記に鑑みてなされたものであって、通常のノズル巻線機又はフライヤ巻線機でコアバック部分に巻線することができる電動機のインシュレータを得ることを目的とする。
【課題を解決するための手段】
【０００６】
上述した課題を解決し、目的を達成するために、本発明は、電動機の固定子コアの継鉄部に配置され内周面が前記電動機の回転中心を曲率中心とする円弧状に形成された外フランジと、前記固定子コアの磁極片部に配置される内フランジと、前記外フランジと内フランジとを繋ぎ前記固定子コアの鉄心部に配置される胴部と、を有するインシュレータにおいて、前記胴部の上面の前記外フランジ寄りに、前記鉄心部に巻く巻線を位置決めする１条の巻溝が設けられていることを特徴とする。
【発明の効果】
【０００７】
本発明によれば、通常のノズル巻線機又はフライヤ巻線機で巻溝と外フランジの間のコアバック部分に巻線することができる、という効果を奏する。
【図面の簡単な説明】
【０００８】
【図１】図１は、本発明に係る回転電機のインシュレータの実施の形態を示す斜視図である。
【図２】図２は、実施の形態のインシュレータの上面図である。
【図３】図３は、図２のＡ−Ａ線に沿う断面図である。
【図４】図４は、実施の形態のインシュレータを装着した分割コアに巻線する過程を示す上面図である。
【図５】図５は、実施の形態のインシュレータを装着した分割コアに巻線する他の過程を示す上面図である。
【発明を実施するための形態】
【０００９】
以下に、本発明にかかる電動機のインシュレータの実施の形態を図面に基づいて詳細に説明する。なお、この実施の形態によりこの発明が限定されるものではない。
【００１０】
実施の形態
図１は、本発明に係る回転電機のインシュレータの実施の形態を示す斜視図であり、図２は、実施の形態のインシュレータの上面図であり、図３は、図２のＡ−Ａ線に沿う断面図であり、図４は、実施の形態のインシュレータを装着した分割コアに巻線する過程を示す上面図であり、図５は、実施の形態のインシュレータを装着した分割コアに巻線する他の過程を示す上面図である。
【００１１】
図１〜図３に示す実施の形態のインシュレータ９０は、電動機の固定子の分割コア（固定子コア）の両端部に装着されるものであり、分割コアの継鉄部に配置される外フランジ１１と、分割コアの磁極片部に配置される内フランジ１２と、外フランジ１１と内フランジ１２とを繋ぎ分割コアの鉄心部に配置される胴部１３と、を有している。
【００１２】
外フランジ１１の内周面１５は、分割コアの継鉄部の内周面と同様に、電動機の回転中心を曲率中心とする円弧状に形成されている。胴部１３の上面の外フランジ１１寄りには、分割コアに巻く巻線２０の１ターン目を位置決めする１条の巻溝１６が設けられている。
【００１３】
巻溝１６は、外フランジ１１寄りであって、かつ、外フランジ１１の内周面１５の両端部１７、１７を結ぶ線よりも内フランジ１２寄りに形成する。そうすると、巻溝１６と外フランジ１１の内周面１５との間のコアバック部分１８には、巻線２０を２巻程度巻くことができるスペースができる。
【００１４】
巻溝１６の深さは、巻線の直径の１／２程度とする。また、図３に示すように、巻溝１６の側壁と胴部１３の上面が交差する角部は、湾曲傾斜面となっていて、１ターン目の巻線が巻溝１６から多少ずれた位置に巻かれても、湾曲傾斜面を滑って巻溝１６内に位置決めされる。
【００１５】
次に、図４を参照して、実施の形態のインシュレータ９０を両端部に装着した分割コアの巻線方法について説明する。通常のノズル巻線機により、まず、巻線２０の１層目の１ターン目を、分割コアの両端部に装着したインシュレータ９０の巻溝１６に巻く。
【００１６】
次に、ノズル巻線機のノズルの先端を、外フランジ１１側に巻線２０の線径分移動させ、巻線２０の２ターン目をインシュレータ９０のコアバック部分１８に巻く。次に、ノズルの先端を、外フランジ１１側に巻線２０の０．５線径分程度移動させ、巻線２０の３ターン目を２ターン目の巻線２０の外フランジ１１側の肩部分に巻く。３ターン目の巻線２０は、２ターン目の巻線２０の肩部分を滑ってコアバック部分１８の一番奥に１層目として巻かれる。
【００１７】
次に、ノズルの先端を移動させずに、巻線２０の４ターン目を巻く。４ターン目は、２ターン目と３ターン目の間に２層目として巻かれる。次に、ノズルの先端を巻線２０の線径分内フランジ１２側に移動させ、巻線２０の５ターン目を１ターン目と２ターン目の間に２層目として巻く。
【００１８】
次に、ノズルの先端を巻線２０の１．５線径分内フランジ１２側に移動させ、巻線２０の６ターン目を１層目として１ターン目の内フランジ１２側に巻く。次に、ノズルの先端を巻線２０の線径分ずつ内フランジ１２側に移動させ、７ターン目〜１０ターン目を１層目として巻く。１１ターン目以降の巻線方法は、従来と変わらないので説明を省略する。
【００１９】
次に、図５を参照して、実施の形態のインシュレータ９０を装着した分割コアに巻線する他の過程について説明する。ノズル巻線機により、まず、巻線２０の１層目の１ターン目を、分割コアの両端部に装着したインシュレータ９０の巻溝１６に巻く。
【００２０】
次に、ノズルの先端を巻線２０の線径分ずつ内フランジ１２側に移動させ、巻線２０の２ターン目〜６ターン目を１層目として巻く。次に、ノズル巻線機のノズルの先端を、内フランジ１２側に巻線２０の０．５線径分移動させ、巻線２０の７ターン目を２層目として巻く。次に、ノズルの先端を巻線２０の線径分ずつ外フランジ１１側に移動させ、巻線２０の８ターン目〜１２ターン目を２層目として巻く。
【００２１】
次に、ノズルの先端を巻線２０の１．５線径分外フランジ１１側に移動させ、巻線２０の１３ターン目を１層目としてコアバック部分１８に巻く。次に、ノズルの先端を、外フランジ１１側に巻線２０の０．５線径分程度移動させ、巻線２０の１４ターン目を１３ターン目の巻線２０の外フランジ１１側の肩部分に巻く。１４ターン目の巻線２０は、１３ターン目の巻線２０の肩部分を滑ってコアバック部分１８の一番奥に１層目として巻かれる。
【００２２】
次に、ノズルの先端を移動させずに、巻線２０の１５ターン目を巻く。１５ターン目は、１３ターン目と１４ターン目の間に２層目として巻かれる。次に、ノズルの先端を巻線２０の線径分内フランジ１２側に移動させ、巻線２０の１６ターン目を１ターン目と１３ターン目の間に２層目として巻く。
【００２３】
次に、ノズルの先端を巻線２０の０．５線径分内フランジ１２側に移動させ、巻線２０の１７ターン目を１２ターン目と１６ターン目の間に３層目として巻く。次に、ノズルの先端を巻線２０の線径分内フランジ１２側に移動させ、１８ターン目を３層目として巻く。１９ターン目以降の巻線方法は、従来と変わらないので説明を省略する。
【００２４】
以上説明したように、実施の形態のインシュレータ９０によれば、胴部１３の上面の外フランジ１１寄りに、分割コアの鉄心部に巻く巻線２０を位置決めする１条の巻溝１６を設けたので、従来のノズル巻線機又はフライヤ巻線機により、コアバック部分１８に巻線２０を整列させて巻くことができる。
【００２５】
また、胴部１３の上面のみに１条の巻溝１６を設け、胴部１３の側部には巻溝を設けないので、インシュレータ９０に無駄な突出部がなく、巻線有効断面積を大きくすることができる。また、巻溝１６は、外フランジ１１の内周面１５の両端部１７、１７を結ぶ線よりも内フランジ１２寄りに形成されているので、巻線２０の１ターン目を巻溝１６に巻き、２ターン目及び３ターン目を、通常のノズル巻線機によりコアバック部分１８に巻くことができる。
【００２６】
また、巻溝１６の側壁と胴部１３の上面が交差する角部が、湾曲傾斜面となっているので、巻線機の位置決め精度に依存せずに、整列性の高い巻線を行なうことができる。また、胴部１３の全域に亘って巻溝１６を設けると、巻線２０の線径が１種類に限られてしまうが、巻溝１６を１条のみとすることにより、巻線可能な線径の種類が増え、１種類のインシュレータ９０で多種類の線径の電動機を製作することができる。
【００２７】
巻溝１６には、巻線２０の１ターン目が巻装されるので、２ターン目以降の巻線２０を、１ターン目を基準として巻くことができる。
【符号の説明】
【００２８】
１１  外フランジ
１２  内フランジ
１３  胴部
１５  内周面
１６  巻溝
１７  外フランジの内周面の端部
１８  コアバック部分
２０  巻線
９０  インシュレータ
【図１】
2012151932.tif 000003
【図２】
2012151932.tif 000004
【図３】
2012151932.tif 000005
【図４】
2012151932.tif 000006
【図５】
2012151932.tif 000007